(57)【要約】  本発明は，患者個人に合わせた心電図の電極の位置を迅速に決めることができる，心電図測定用の電極の位置決め用具を提供することを目的とする。上記の課題は，心電図測定用の電極の位置決め用具（１）であって，胸部電極位置に相当する複数の穴部（３，５，７，９，１１，１３）を有する，用具により解決でき，用具（１）は，透明な前身頃部（１９）を有することが好ましく，前身頃部（１９）は，複数の切り取り穴（４５）を有することが好ましく，用具（１）は，複数の穴部を連結する，切り取り部（４７）を有してもよい。
2019230921.tif 000002
【特許請求の範囲】
【請求項１】
心電図の位置決め用具（１）であって，  前記用具（１）は，胸部電極位置に相当する複数の穴部（３，５，７，９，１１，１３）を有する，用具。
【請求項２】
請求項１に記載の用具であって，  前記用具（１）は，鎖骨部に相当する部位に存在する鎖骨目印（１５ａ，１５ｂ）及び乳首部に相当する部位に存在する乳首目印（１７ａ，１７ｂ）のいずれか又は両方を更に有する，用具。
【請求項３】
請求項１に記載の用具であって，  前記用具（１）は，透明な前身頃部（１９）を有する用具。
【請求項４】
請求項３に記載の用具であって，  前記前身頃部（１９）は，前記複数の穴部（３，５，７，９，１１，１３）を取り囲むように存在する複数の切り取り穴（４５）を有する用具。
【請求項５】
請求項１に記載の用具であって，  前記複数の穴部を連結する，切り取り部（４７）を有する用具。
【請求項６】
請求項１に記載の用具であって，  前記複数の穴部は，直径が１ｍｍ以上１５ｍｍ以下の円形状であり，前記複数の穴部の周辺には穴部の目印を有する，用具。
【請求項７】
請求項１に記載の用具であって，前記複数の穴部は，それぞれに対応する胸部電極よりも小さく，それぞれの穴部を通じて体表に前記それぞれに対応する胸部電極の目印を描画するために用いられる，用具。
【請求項８】
請求項１に記載の用具であって，  前記複数の穴部は，直径が３０ｍｍ以上６０ｍｍ以下の円形状である，用具。
【請求項９】
請求項１に記載の用具であって，前記複数の穴部は，それぞれに対応する胸部電極よりも大きく，それぞれの穴部を通じて体表に前記それぞれに対応する胸部電極を設置するために用いられる，用具。
【発明の詳細な説明】
【技術分野】
【０００１】  本発明は，心電図測定用の電極の位置決め用具に関する。より詳しく説明すると，本発明は，患者個人に合わせた心電図の電極の位置を迅速に決められるようにするための用具に関する。
【背景技術】
【０００２】  特開２０１６−１５８７０９号公報には，心電計測布が記載されている。この文献の心電計測布は，複数の計測電極を所定の位置に配置する電極配置部を有し（請求項１）、電極配置部が，標準１２誘導法による６個の胸部電極に相当する計測電極を含むとされている（請求項６）。しかしながら、この文献の心電計測布は，救急現場での迅速性を優先しており，電極位置が固定されているので，患者の個人差に対応できないという課題が存在する。
【先行技術文献】
【特許文献】
【０００３】
【特許文献１】特開２０１６−１５８７０９号公報
【発明の概要】
【発明が解決しようとする課題】
【０００４】  本発明は，患者個人に合わせた心電図の電極の位置を迅速に決めることができる，心電図測定用の電極の位置決め用具を提供することを目的とする。
【課題を解決するための手段】
【０００５】  上記の課題は，心電図測定用の電極の位置決め用具１であって，胸部電極位置に相当する複数の穴部３，５，７，９，１１，１３を有する，用具により解決できる。つまり，電極の位置を固定するのではなくて，電極を設置するための穴部をあけて置き，その穴部を目印として電極を設置することで，患者個人に合わせた電極の位置を迅速に決めることができる。この目的のため，それぞれの穴部は，用いる心電図の電極と同じかそれより大きい直径を有するものであることが好ましい。もっとも，穴部が電極よりも小さくても構わない。この場合，例えば，用具１を用いて，患者の体表に電極位置の目印をマーキング（描画）し，その目印を用いて，電極を設置できるようにしてもよい。【０００６】  用具１は，鎖骨部に相当する部位に存在する鎖骨目印１５ａ，１５ｂ及び乳首部に相当する部位に存在する乳首目印１７ａ，１７ｂのいずれか又は両方を更に有するものが好ましい。この目印があれば，患者に対して，用具を適切な位置に設置できることとなる。【０００７】  用具１は，透明な前身頃部１９を有することが好ましい。前身頃が透明な部分を有していれば，用具１を患者に合わせた適切な位置に配置できることとなる。前身頃部分を通して身体の部位を確認できればよいので，透明には，完全な透明のみならず，半透明やメッシュ状の繊維が含まれる。【０００８】  前身頃部１９は，複数の切り取り穴４５を有することが好ましい。複数の切り取り穴４５は，例えば，複数の穴部３，５，７，９，１１，１３を取り囲むように存在し，電極の大きさや電極の設置位置に応じて，切り取りを行って穴を拡大できるものが好ましい。【０００９】  用具１は，複数の穴部を連結する，切り取り部４７を有してもよい。切り取り部４７があれば，電極を設置し終わった後，切り取り部を用いて，用具１を取り外すことができる。これにより，長時間，用具１が患者に接触する事態を防止できる。例えば，用具１が透明な場合，用具がプラスチックにより製造されることがあり，用具１が長時間患者と密着していると，患者が汗をかいて不快になる。このため，切り取り部４７を有することで，容易に，用具を患者から取り外すことができる。これは，例えば，用具１がTシャツ型のように，患者が着るタイプのものであるときに，特に有効である。【００１０】  用具１の例は，複数の穴部のそれぞれの直径が１ｍｍ以上１５ｍｍ以下の円形状であり，複数の穴部の周辺には穴部の目印を有するものである。これは，穴部を取り囲むように，目印が存在していてもよい。穴が視認しにくい場合があるので，目印を有すると，電極を設置等するための穴部を容易かつ迅速に視認できる。例えば，複数の穴部は，それぞれに対応する胸部電極よりも小さく，それぞれの穴部を通じて体表にそれぞれに対応する胸部電極の目印を描画するために用いられるものであってもよい。穴が小さい場合，電極位置を正確に定めることができるという利点がある。【００１１】  用具１の例は，複数の穴部のそれぞれの直径が，３０ｍｍ以上６０ｍｍ以下の円形状のものである。この例では，穴部を用いて電極位置をマーキングするように用いることができる。複数の穴部は，それぞれに対応する胸部電極よりも大きく，それぞれの穴部を通じて体表にそれぞれに対応する胸部電極を設置するために用いられるものであってもよい。穴部が胸部電極より大きい場合，この用具をあてがったままで心電図を取ることができるので利便性が高い。
【発明の効果】
【００１２】  患者個人に合わせた心電図の電極の位置を迅速に決めることができる，心電図測定用の電極の位置決め用具を提供できる。
【図面の簡単な説明】
【００１３】
【図１】図１は，心電図測定用の電極の位置決め用具の例を示す概念図である。
【図２】図２は，１２誘導心電図の胸部電極位置を示す概念図である。
【図３】図３は，Ｔシャツ型の用具の例を示す概念図である。
【図４】図４は，エプロン型の用具の例を示す概念図である。
【発明を実施するための形態】
【００１４】  以下，図面を用いて本発明を実施するための形態について説明する。本発明は，以下に説明する形態に限定されるものではなく，以下の形態から当業者が自明な範囲で適宜修正したものも含む。
【００１５】  図１は，心電図測定用の電極の位置決め用具の例を示す概念図である。心電図測定用の電極の位置決め用具１であって，胸部電極位置に相当する複数の穴部３，５，７，９，１１，１３を有する，用具により解決できる。つまり，電極の位置を固定するのではなくて，電極を設置するための穴部をあけて置き，その穴部を目印として電極を設置することで，患者個人に合わせた電極の位置を迅速に決めることができる。この目的のため，それぞれの穴部は，用いる心電図の電極と同じかそれより大きい直径を有するものであることが好ましい。もっとも，穴部が電極よりも小さくても構わない。この場合，例えば，用具１を用いて，患者の体表に電極位置の目印をマーキング（描画）し，その目印を用いて，電極を設置できるようにしてもよい。心電図測定用の電極は，心電図を測定するために用いられる心電図測定装置の要素である。心電図測定装置は，公知である。そして，心電図測定用の電極も公知である。
【００１６】  図２は，１２誘導心電図の胸部電極位置を示す概念図である。２１ａ及び２１ｂは，鎖骨を示し，２３は，右肋骨を示し，２５及び２７は左肋骨を示し，２９は鎖骨中線を示す。３３は，右第４助間に相当する第１電極部位を示し，３５は左第４助間に相当する第２電極部位を示し，３７は第２及び第４電極部位の中間に相当する第３電極部位を示し，３９は左第５助間と鎖骨中線上に位置する第４電極部位を示し，４１は左第５助間前腋窩線上に位置する第５電極部位を示し，４３は左第５助間中腋窩線上に位置する第６電極部位を示す。これらの胸部電極位置に対応した位置に，複数の穴部３，５，７，９，１１，１３が設けられる。
【００１７】  用具１は，鎖骨部に相当する部位に存在する鎖骨目印１５ａ，１５ｂ及び乳首部に相当する部位に存在する乳首目印１７ａ，１７ｂのいずれか又は両方を更に有するものが好ましい。この目印があれば，患者に対して，用具を適切な位置に設置できることとなる。目印は，例えば，前身頃部１９に印刷されたものである。
【００１８】  特に鎖骨目印１５ａ，１５ｂは，標準的な鎖骨位置の描画と共に，メモリが描画されていることが好ましい。メモリが描画されていると，標準的な鎖骨位置に比べて対象患者の鎖骨位置がどの程度ずれているかを迅速に把握できるので，電極位置を微調整する際に，役立つこととなる。
【００１９】  用具１は，透明な前身頃部１９を有することが好ましい。前身頃が透明な部分を有していれば，用具１を患者に合わせた適切な位置に配置できることとなる。前身頃全体が透明であってもよいし，穴の周辺や，穴の位置を確認するために用いる鎖骨部分などが透明であってもよい。
【００２０】  図３は，Ｔシャツ型の用具の例を示す概念図である。図３に示されるように，前身頃部１９は，複数の切り取り穴４５を有することが好ましい。複数の切り取り穴４５は，例えば，複数の穴部３，５，７，９，１１，１３を取り囲むように存在し，電極の大きさや電極の設置位置に応じて，切り取りを行って穴を拡大できるものが好ましい。
【００２１】  図３に示されるように，用具１は，複数の穴部を連結する，切り取り部４７を有してもよい。切り取り部４７があれば，電極を設置し終わった後，切り取り部を用いて，用具１を取り外すことができる。これにより，長時間，用具１が患者に接触する事態を防止できる。例えば，用具１が透明な場合，用具がプラスチックにより製造されることがあり，用具１が長時間患者と密着していると，患者が汗をかいて不快になる。このため，切り取り部４７を有することで，電極を患者に設置した状態で，用具を患者から容易に取り外すことができる。これは，例えば，用具１がTシャツ型のように，患者が着るタイプのものであるときに，特に有効である。
【００２２】  用具１の例は，複数の穴部のそれぞれの直径が１ｍｍ以上１５ｍｍ以下の円形状であり，複数の穴部の周辺には穴部の目印を有するものである。これは，穴部を取り囲むように，目印が存在していてもよい。穴が視認しにくい場合があるので，目印を有すると，電極を設置等するための穴部を容易かつ迅速に視認できる。例えば，複数の穴部は，それぞれに対応する胸部電極よりも小さく，それぞれの穴部を通じて体表にそれぞれに対応する胸部電極の目印を描画するために用いられるものであってもよい。穴が小さい場合，電極位置を正確に定めることができるという利点がある。穴部が対応する胸部電極より小さいとは，胸部電極が対応する穴部を通過できないこと，又は穴部の面積が対応する胸部電極の面積より小さいことを意味する。
【００２３】  用具１の例は，複数の穴部のそれぞれの直径が，３０ｍｍ以上６０ｍｍ以下の円形状のものである。この例では，穴部を用いて電極位置をマーキングするように用いることができる。複数の穴部は，それぞれに対応する胸部電極よりも大きく，それぞれの穴部を通じて体表にそれぞれに対応する胸部電極を設置するために用いられるものであってもよい。穴部が胸部電極より大きい場合，この用具をあてがったままで心電図を取ることができるので利便性が高い。穴部が対応する胸部電極より大きいとは，胸部電極が対応する穴部を通過できること，又は穴部の面積が対応する胸部電極の面積より大きいことを意味する。
【００２４】  図４は，エプロン型の用具の例を示す概念図である。用具の形状は，電極の位置をガイドできれば限定されるものではなく，図１のようなＴシャツ型であっても，図４のようなエプロン型であっても，それ以外のタイプであっても構わない。また，患者の体躯に合わせて，ＸＳ，Ｓ，Ｍ，Ｌ，ＸＬ，男性用及び女性用といった複数種類の用具を準備しておき，患者に合あった用具を用いて，さらに電極位置を適宜調整してもよい。いずれにせよ，何もない状態で電極を設置する場合に比べて，迅速かつ正確に，電極を設置できることとなる。
【００２５】  心電図測定用の電極の位置決め用具は，例えば，以下のように製造できる。上記の取り複数種類の用具の下地となるＴシャツやエプロンを用意する。少なくとも前身頃全体又は前身頃のうち電極の位置，及び鎖骨を覆う領域を透明にする。各サイズに合わせ，標準的な電極位置を求めておき，標準的な電極位置に穴をあける。また，目印となる領域を印刷する。さらに，使用中又は使用後に必要な部分を切断できるように，切断用の線を設ける。なお，上記のような生地を作成しておいて，それをＴシャツやエプロンのような用具の最終形態に加工してもよい。この用具は，例えば，心電図を測定する際に，患者に着用させておき，施術者が，穴を目安にして電極を設置する。このようにして，迅速かつ正確に，電極を設置できることとなる。
【産業上の利用可能性】
【００２６】  本発明は，医療機器の分野で利用されうる。
【符号の説明】
【００２７】１  心電図測定用の電極の位置決め用具３，５，７，９，１１，１３  穴部１５ａ，１５ｂ  鎖骨目印１７ａ，１７ｂ  乳首目印１９  前身頃部４５  切り取り穴４７  切り取り部
【図１】
2019230921.tif 000003
【図２】
2019230921.tif 000004
【図３】
2019230921.tif 000005
【図４】
2019230921.tif 000006
【国際調査報告】
2019230921.tif 000007
2019230921.tif 000008
2019230921.tif 000009